【手続補正書】
【提出日】平成16年9月16日(2004.9.16)
【手続補正１】
【補正対象書類名】明細書
【補正対象項目名】特許請求の範囲
【補正方法】変更
【補正の内容】
【特許請求の範囲】
【請求項１】
モータと、前記モータにより回転駆動される装置本体側ギアと、本体位置決め部材と、前記ギアの回転中心軸線上に設けられた連結穴と、を有する電子写真画像形成装置本体に着脱可能なプロセスカートリッジにおいて、
電子写真感光体ドラムと、
前記電子写真感光体ドラムに作用するプロセス手段と、
前記連結穴と嵌合する連結突起であって、前記電子写真感光体ドラムの長手方向の端部に設けられた前記連結突起と、
プロセスカートリッジが装置本体に設けられたカートリッジ装着部に装着されて、前記連結穴と連結突起を介して前記電子写真感光体ドラムが前記装置本体から回転駆動力を受ける際に、前記プロセスカートリッジが前記電子写真感光体ドラムの軸線と実質的に直角方向へ所定距離以上移動しようとするのを前記本体位置決め部と当接して規制するカートリッジ位置決め部と、
を有することを特徴とするプロセスカートリッジ。
【請求項２】
モータと、前記モータにより駆動される装置本体側ギアと、本体位置決め部材と、前記ギアの回転中心軸線上に設けられた連結突起と、を有する電子写真画像形成装置本体に着脱可能なプロセスカートリッジにおいて、
電子写真感光体ドラムと、
前記電子写真感光体ドラムに作用するプロセス手段と、
前記連結穴と嵌合する連結穴であって、前記電子写真感光体ドラムの長手方向の端部に設けられた連結穴と、
プロセスカートリッジが装置本体に設けられたカートリッジ装着部に装着されて、前記連結突起と連結穴を介して前記電子写真感光体ドラムが前記装置本体から回転駆動力を受ける際に、前記プロセスカートリッジが前記電子写真感光体ドラムの軸線と実質的に直角方向へ所定距離以上移動しようとするのを前記本体位置決め部と当接して規制するカートリッジ位置決め部と、
を有することを特徴とするプロセスカートリッジ。
【請求項３】
モータと、前記モータから駆動力を受ける回転体と、本体位置決め部材と、前記回転体の回転中心と同一中心の非円形断面を持つ連結穴又は連結突起とを備えて記録媒体に画像を形成する電子写真画像形成装置に着脱可能なプロセスカートリッジにおいて、
像担持体として回転可能な電子写真感光体ドラムと、
前記電子写真感光体ドラムに作用するプロセス手段と、
前記電子写真感光体ドラムの回転中心と同一中心で非円形断面を有し、前記電子写真感光体ドラムの長手方向端部に設けられた連結突起又は連結穴であって、前記回転体の前記連結穴又は連結突起に対して相対回転運動が許容される第１の相対回転位置と、その回転方向には相対回転運動が妨げられる第２の相対回転位置と、をとることができる寸法と形状を有する連結突起又は連結穴と、
プロセスカートリッジが装置本体に設けられたカートリッジ装着部に装着されて、前記連結突起と連結穴を介して前記電子写真感光体ドラムが回転駆動力を受ける際に、前記プロセスカートリッジが前記電子写真感光体ドラムの軸線と実質的に直角方向へ所定距離以上移動しようとするのを前記本体位置決め部と当接して規制するカートリッジ位置決め部と、
を有することを特徴とするプロセスカートリッジ。
【請求項４】
前記連結突起は略角柱である請求項１から３の何れか１つに記載のプロセスカートリッジ。
【請求項５】
前記略角柱は、略三角柱である請求項４に記載のプロセスカートリッジ。
【請求項６】
前記略三角柱はねじれている請求項５に記載のプロセスカートリッジ。
【請求項７】
前記略三角柱はねじれていない請求項５に記載のプロセスカートリッジ。
【請求項８】
前記連結穴は断面が略多角形である請求項１に記載のプロセスカートリッジ。
【請求項９】
前記略多角形は略三角形である請求項８に記載のプロセスカートリッジ。
【請求項１０】
前記連結穴はねじれている請求項１から３の何れか1つ又は９に記載のプロセスカートリッジ。
【請求項１１】
前記連結穴はねじれていない請求項１から３の何れか1つ又は８もしくは９に記載のプロセスカートリッジ。
【請求項１２】
前記連結穴と連結突起を介して前記電子写真感光体ドラムが回転駆動力を受ける際に、前記連結突起は前記連結穴の方向へ引き込み力を受ける請求項６又は１０に記載のプロセスカートリッジ。
【請求項１３】
前記連結穴と連結突起を介して前記電子写真感光体ドラムが回転駆動力を受ける際に、前記連結突起と連結穴とは実質的に調芯するために相対的に移動しようとする請求項５又は９に記載のプロセスカートリッジ。
【請求項１４】
前記プロセス手段は少なくとも、前記電子写真感光体ドラムに帯電を行うための帯電部材、前記電子写真感光体ドラムに形成された潜像を現像するための現像部材、及び、前記電子写真感光体ドラムに残留するトナーを除去するためのクリーニング部材の何れか１つを有する請求項１から３の何れか１つに記載のプロセスカートリッジ。
【請求項１５】
前記カートリッジ位置決め部は、前記本体位置決め部と当接して、前記プロセスカートリッジが前記電子写真感光体ドラムの軸線と実質的に直角方向である下方へ所定距離以上移動しようとするのを規制する請求項１から３の何れか１つ又は６もしくは１０の何れか１つに記載のプロセスカートリッジ。
【請求項１６】
前記カートリッジ位置決め部は、前記本体位置決め部と当接して、前記プロセスカートリッジが前記電子写真感光体ドラムの軸線と実質的に直角方向である上方へ所定距離以上移動しようとするのを規制する請求項１から３の何れか１つ又は６もしくは１０の何れか１つに記載のプロセスカートリッジ。
【請求項１７】
前記カートリッジ位置決め部は、前記プロセスカートリッジの有するカートリッジフレームの外表面から、前記電子写真感光体ドラムの軸線と実質的に同じ方向へ突出して設けられている請求項１から３の何れか１つに記載のプロセスカートリッジ。
【請求項１８】
前記本体位置決め部は、前記カートリッジ装着部の側壁から突出して設けられている請求項１から３の何れか１つに記載のプロセスカートリッジ。
【請求項１９】
前記カートリッジ位置決め部は、前記プロセスカートリッジの有するカートリッジフレームに、前記電子写真感光体ドラムの軸線と同軸線上に設けられた突出部である、また、前記本体位置決め部材は、前記突出部を支持する支持部材である請求項１から３の何れか１つに記載のプロセスカートリッジ。
【請求項２０】
プロセスカートリッジを着脱可能であって、記録媒体に画像を形成するための電子写真画像形成装置において、
（ａ）モータと、
（ｂ）前記モータから駆動力を受ける装置本体側ギアと、
（ｃ）本体位置決め部材と、
（ｄ）前記ギアと同一中心軸線上に設けられた連結穴と、
（ｅ）電子写真感光体ドラムと、
前記電子写真感光体ドラムに作用するプロセス手段と、
前記連結穴と嵌合する連結突起であって、前記電子写真感光体ドラムの長手方向の端部に設けられた前記連結突起と、
プロセスカートリッジが装置本体に設けられたカートリッジ装着部に装着されて、前記連結穴と連結突起を介して前記電子写真感光体ドラムが回転駆動力を受ける際に、前記プロセスカートリッジが前記電子写真感光体ドラムの軸線と実質的に直角方向へ所定距離以上移動しようとするのを前記本体位置決め部と当接して規制するカートリッジ位置決め部と、
を有するプロセスカートリッジを取り外し可能に装着するための装着部材と、
を有することを特徴とする電子写真画像形成装置。
【請求項２１】
プロセスカートリッジを着脱可能であって、記録媒体に画像を形成するための電子写真画像形成装置において、
（ａ）モータと、
（ｂ）前記モータから駆動力を受ける装置本体側ギアと、
（ｃ）本体位置決め部材と、
（ｄ）前記ギアと同一中心軸線上に設けられた連結突起と、
（ｅ）電子写真感光体ドラムと、
前記電子写真感光体ドラムに作用するプロセス手段と、
前記連結突起と嵌合する連結穴であって、前記電子写真感光体ドラムの長手方向の端部に設けられた連結穴と、
プロセスカートリッジが装置本体に設けられたカートリッジ装着部に装着されて、前記連結突起と連結穴を介して前記電子写真感光体ドラムが回転駆動力を受ける際に、前記プロセスカートリッジが前記電子写真感光体ドラムの軸線と実質的に直角方向へ所定距離以上移動しようとするのを前記本体位置決め部と当接して規制するカートリッジ位置決め部と、
を有するプロセスカートリッジを取り外し可能に装着するための装着部材と、
を有することを特徴とする電子写真画像形成装置。
【請求項２２】
プロセスカートリッジを着脱可能であって、記録媒体に画像を形成するための電子写真画像形成装置において、
（ａ）モータと、
（ｂ）前記モータから駆動力を受ける回転体と、
（ｃ）本体位置決め部材と、
（ｄ）前記回転体と同一軸線上に設けられ非円形断面を有する連結穴又は連結突起と、
（ｅ）像担持体として回転可能な電子写真感光体ドラムと、
前記電子写真感光体ドラムに作用するプロセス手段と、
前記電子写真感光体ドラムの回転中心と同一中心で非円形断面を有し、前記電子写真感光体ドラムの長手方向端部に設けられた連結突起又は連結穴であって、前記回転体の前記連結穴又は連結突起に対して連結突起と連結穴間に相対回転運動が許容される第１の相対回転位置と、その回転方向には相対回転運動が妨げられる第２の相対回転位置と、をとることができる寸法と形状を有する連結突起又は連結穴と、
プロセスカートリッジが装置本体に設けられたカートリッジ装着部に装着されて、前記連結突起と連結穴を介して前記電子写真感光体ドラムが回転駆動力を受ける際に、前記プロセスカートリッジが前記電子写真感光体ドラムの軸線と実質的に直角方向へ所定距離以上移動しようとするのを前記本体位置決め部と当接して規制するカートリッジ位置決め部と、
を有するプロセスカートリッジを取り外し可能に装着するための装着部材と、を有することを特徴とする電子写真画像形成装置。
【手続補正２】
【補正対象書類名】明細書
【補正対象項目名】０００１
【補正方法】変更
【補正の内容】
【０００１】
【発明の属する技術分野】
本発明はプロセスカートリッジ、及び電子写真画像形成装置に関するものである。ここで、電子写真画像形成装置とは、電子写真画像形成方式を用いて記録媒体に画像を形成する物である。そして、電子写真画像形成装置の例としては、例えば電子写真複写機、電子写真プリンタ（例えばレーザービームプリンタ、ＬＥＤプリンタ等）、ファクシミリ装置及びワードプロセッサ等が含まれる。
【手続補正３】
【補正対象書類名】明細書
【補正対象項目名】００１０
【補正方法】変更
【補正の内容】
【００１０】
本出願に係る第２の発明はモータと、前記モータにより駆動される装置本体側ギアと、本体位置決め部材と、前記ギアの回転中心軸線上に設けられた連結突起と、を有する電子写真画像形成装置本体に着脱可能なプロセスカートリッジにおいて、
電子写真感光体ドラムと、
前記電子写真感光体ドラムに作用するプロセス手段と、
前記連結穴と嵌合する連結穴であって、前記電子写真感光体ドラムの長手方向の端部に設けられた連結穴と、
プロセスカートリッジが装置本体に設けられたカートリッジ装着部に装着されて、前記連結突起と連結穴を介して前記電子写真感光体ドラムが前記装置本体から回転駆動力を受ける際に、前記プロセスカートリッジが前記電子写真感光体ドラムの軸線と実質的に直角方向へ所定距離以上移動しようとするのを前記本体位置決め部と当接して規制するカートリッジ位置決め部と、
を有することを特徴とするプロセスカートリッジである。
【手続補正４】
【補正対象書類名】明細書
【補正対象項目名】００１１
【補正方法】変更
【補正の内容】
【００１１】
本出願に係る第３の発明はモータと、前記モータから駆動力を受ける回転体と、本体位置決め部材と、前記回転体の回転中心と同一中心の非円形断面を持つ連結穴又は連結突起とを備えて記録媒体に画像を形成する電子写真画像形成装置に着脱可能なプロセスカートリッジにおいて、
像担持体として回転可能な電子写真感光体ドラムと、
前記電子写真感光体ドラムに作用するプロセス手段と、
前記電子写真感光体ドラムの回転中心と同一中心で非円形断面を有し、前記電子写真感光体ドラムの長手方向端部に設けられた連結突起又は連結穴であって、前記回転体の前記連結穴又は連結突起に対して相対回転運動が許容される第１の相対回転位置と、その回転方向には相対回転運動が妨げられ第２の相対回転位置と、をとることができる寸法と形状を有する連結突起又は連結穴と、
プロセスカートリッジが装置本体に設けられたカートリッジ装着部に装着されて、前記連結突起と連結穴を介して前記電子写真感光体ドラムが回転駆動力を受ける際に、前記プロセスカートリッジが前記電子写真感光体ドラムの軸線と実質的に直角方向へ所定距離以上移動しようとするのを前記本体位置決め部と当接して規制するカートリッジ位置決め部と、
を有することを特徴とするプロセスカートリッジである。
【手続補正５】
【補正対象書類名】明細書
【補正対象項目名】００１２
【補正方法】変更
【補正の内容】
【００１２】
本出願に係る第２０の発明はプロセスカートリッジを着脱可能であって、記録媒体に画像を形成するための電子写真画像形成装置において、
（ａ）モータと、
（ｂ）前記モータから駆動力を受ける装置本体側ギアと、
（ｃ）本体位置決め部材と、
（ｄ）前記ギアと同一中心軸線上に設けられた連結穴と、
（ｅ）電子写真感光体ドラムと、
前記電子写真感光体ドラムに作用するプロセス手段と、
前記連結穴と嵌合する連結突起であって、前記電子写真感光体ドラムの長手方向の端部に設けられた前記連結突起と、
プロセスカートリッジが装置本体に設けられたカートリッジ装着部に装着されて、前記連結穴と連結突起を介して前記電子写真感光体ドラムが回転駆動力を受ける際に、前記プロセスカートリッジが前記電子写真感光体ドラムの軸線と実質的に直角方向へ所定距離以上移動しようとするのを前記本体位置決め部と当接して規制するカートリッジ位置決め部と、
を有するプロセスカートリッジを取り外し可能に装着するための装着部材と、
を有することを特徴とする電子写真画像形成装置である。
【手続補正６】
【補正対象書類名】明細書
【補正対象項目名】００１３
【補正方法】変更
【補正の内容】
【００１３】
本出願に係る第２１の発明はプロセスカートリッジを着脱可能であって、記録媒体に画像を形成するための電子写真画像形成装置において、
（ａ）モータと、
（ｂ）前記モータから駆動力を受ける装置本体側ギアと、  
（ｃ）本体位置決め部材と、
（ｄ）前記ギアと同一中心軸線上に設けられた連結突起と、
（ｅ）電子写真感光体ドラムと、
前記電子写真感光体ドラムに作用するプロセス手段と、
前記連結突起と嵌合する連結穴であって、前記電子写真感光体ドラムの長手方向の端部に設けられた連結穴と、
プロセスカートリッジが装置本体に設けられたカートリッジ装着部に装着されて、前記連結突起と連結穴を介して前記電子写真感光体ドラムが回転駆動力を受ける際に、前記プロセスカートリッジが前記電子写真感光体ドラムの軸線と実質的に直角方向へ所定距離以上移動しようとするのを前記本体位置決め部と当接して規制するカートリッジ位置決め部と、
を有するプロセスカートリッジを取り外し可能に装着するための装着部材と、
を有することを特徴とする電子写真画像形成装置である。
【手続補正７】
【補正対象書類名】明細書
【補正対象項目名】００１４
【補正方法】変更
【補正の内容】
【００１４】
本出願に係る第２２の発明はプロセスカートリッジを着脱可能であって、記録媒体に画像を形成するための電子写真画像形成装置において、
（ａ）モータと、
（ｂ）前記モータから駆動力を受ける回転体と、
（ｃ）本体位置決め部材と、
（ｄ）前記回転体と同一軸線上に設けられ非円形断面を有する連結穴又は連結突起と、
（ｅ）像担持体として回転可能な電子写真感光体ドラムと、
前記電子写真感光体ドラムに作用するプロセス手段と、  
前記電子写真感光体ドラムの回転中心と同一中心で非円形断面を有し、前記電子写真感光体ドラムの長手方向端部に設けられた連結突起又は連結穴であって、前記回転体の前記連結穴又は連結突起に対して連結突起と連結穴間に相対回転運動が許容される第１の相対回転位置と、その回転方向には相対回転運動が妨げられる第２の相対回転位置と、をとることができる寸法と形状を有する連結突起又は連結穴と、
プロセスカートリッジが装置本体に設けられたカートリッジ装着部に装着されて、前記連結突起と連結穴を介して前記電子写真感光体ドラムが回転駆動力を受ける際に、前記プロセスカートリッジが前記電子写真感光体ドラムの軸線と実質的に直角方向へ所定距離以上移動しようとするのを前記本体位置決め部と当接して規制するカートリッジ位置決め部と、
を有するプロセスカートリッジを取り外し可能に装着するための装着部材と、
を有することを特徴とする電子写真画像形成装置である。